(57)【要約】      （修正有）【課題】簡単且つ確実に袋開口部を開口して取り出せるロール巻きビニール袋用ホルダー及びロール巻きビニール袋を提供する。【解決手段】ロール巻きのミシン目５２付き連結ビニール袋５１は、重なり合う一面側シート体６と他面側シート体７とにより構成され、一面側シート体にはミシン目位置から連続して袋底方向に一定範囲内で切り取り部６１が設けられ、他面側シート体には指掛け孔７１が切り取り部により露出される部分に対応して貫通して設けられている。ロール巻きビニール袋用ホルダー１は、ロール巻きビニール袋５を収納するための開放口を有しロール巻きビニール袋を回動自在に配置する支持体２と、支持体の開放口を開閉自在とするカバー体３と、ロール巻きビニール袋から引き出される連結ビニール袋を載置する載置面と、載置面との間で連結ビニール袋と対向する対向面とを備える。【選択図】図１
2017039493.tif 000002
【特許請求の範囲】
【請求項１】
ロール巻きビニール袋から引き出す連結ビニール袋をミシン目で切り離して一袋分のビニール袋を取り出せるようにするロール巻きビニール袋用ホルダーであって、
上記連結ビニール袋は、ビニール袋を形成するように重なり合う一面側のシート体と他面側のシート体とにより構成されて一袋間隔でミシン目と袋底シール部とが隣接して設けられ、一面側シート体には、袋開口部となるミシン目位置から連続して袋底方向に一定範囲内で一面側シート体を切り取った切り取り部が設けられ、他面側シート体には、連結ビニール袋を引き出すときに指掛けとなる指掛け孔が一面側シート体の切り取り部により露出される部分に対応して貫通して設けられた構成を有するものであり、
上記ロール巻きビニール袋を収納するための開放口を有し該ロール巻きビニール袋を回動自在に配置する支持体と、
上記支持体の開放口を開閉自在とするカバー体と、
上記ロール巻きビニール袋から引き出される連結ビニール袋を載置する載置面と、
上記載置面との間で連結ビニール袋と対向する対向面とを備えるロール巻きビニール袋用ホルダー。
【請求項２】
請求項１に記載のロール巻きビニール袋用ホルダーにおいて、
上記連結ビニール袋における一面側のシート体が接触する側となる上記対向面又は上記載置面には、指掛け孔に指を掛けて引き出される上記連結ビニール袋の一面側のシート体に接触して摺動抵抗を付与する抵抗体が設けられているロール巻きビニール袋用ホルダー。
【請求項３】
請求項１又は２に記載のロール巻きビニール袋用ホルダーにおいて、
上記載置面には、引き出される連結ビニール袋をガイドするガイド部が連設され、
上記ガイド部又は上記対向面には、連結ビニール袋を引き出したときにミシン目を破断させるための突部が設けられているロール巻きビニール袋用ホルダー。
【請求項４】
ミシン目を切り離して一袋分のビニール袋とする連結ビニール袋をロール巻きにしたロール巻きビニール袋であって、
上記連結ビニール袋は、ビニール袋を形成するように重なり合う一面側のシート体と他面側のシート体とにより構成されて一袋間隔でミシン目と袋底シール部とが隣接して設けられ、
上記一面側のシート体には、袋開口部となるミシン目位置から連続して袋底方向に一定範囲内で一面側のシート体を切り取った切り取り部が設けられ、
上記他面側のシート体には、連結ビニール袋を引き出すときに指掛けとなる指掛け孔が一面側のシート体の切り取り部により露出される部分に対応して貫通して設けられ、
上記連結ビニール袋には、さらに、上記指掛け孔の目印が指掛け孔の周辺に施されているロール巻きビニール袋。
【請求項５】
請求項４に記載のロール巻きビニール袋において、
上記他面側のシート体には、さらに、一面側のシート体の切り取り部が対向するミシン目の線上に他面側のシート体を連続して切り離した切り離し部が設けられているロール巻きビニール袋。
【発明の詳細な説明】
【技術分野】
【０００１】
本発明は、ロール巻きビニール袋から一袋分のビニール袋を取り出せるようにするロール巻きビニール袋用ホルダー及びロール巻きビニール袋に関する。
【背景技術】
【０００２】
この種のロール巻きビニール袋用ホルダーでは、ロール巻きビニール袋を回動可能に支持するだけものが多く、その場合、使用者がロール巻きビニール袋からシート状の連結ビニール袋を引き出し、この連結ビニール袋に形成するミシン目を切り離して一袋分のビニール袋を取り出すようにしている。取り出したビニール袋は、食品等を入れるために、使用者がその袋開口部を指でこすり合わせて開口させるようにしている。
【先行技術文献】
【特許文献】
【０００３】
【特許文献１】特開２０１１−１７８５５７号公報
【特許文献２】特開２０１１−１３１９１２号公報
【発明の概要】
【発明が解決しようとする課題】
【０００４】
しかしながら、取り出したビニール袋は、シート状であり、一面側のシート体と他面側のシート体とがひっついており、ミシン目の切り離しで形成された袋開口部が密着して塞がった状態にある。そのため、ビニール袋の袋開口部を簡単に開口させることができず、非常に煩わしく手間がかかっていた。スーパー等では備え付けの濡れタオルで指を濡らし、その指で袋開口部をこすり合わせて開口させたりするが、濡れタオルは不特定人が使用し衛生的とは言えないし、開口させるという操作は必要なため手間はかかる。また、ロール巻きビニール袋は、次の使用時に連結ビニール袋の最先端を見つけにくいという問題もある。
【０００５】
従来、ロール巻きビニール袋の袋開口部を開口させるものとして、例えば、連結ビニール袋の先端が吸着ゴムや弱粘着性シートに付着するように構成し、ビニール袋の取り出し時に吸着ゴム等に付着した連結ビニール袋を指で撫でたり押したりして袋開口部を開口させ、その後引き出すものがあった（特許文献１の段落０００５、特許文献２の段落０００８）。しかし、指で撫でる等せず、連結ビニール袋が引き出されることも想定され、この場合は、袋開口部が密着して塞がったままとなる。また、連結ビニール袋を引き出す前に指で撫でる等の操作が必要なため、ビニール袋の取り出しに余分に手間がかかる。
【０００６】
本発明は、上記事情に鑑みてなされたものであり、ロール巻きビニール袋から一袋分のビニール袋を取り出す際に、余分な手間をかけずに、簡単且つ確実に袋開口部を開口させることができるロール巻きビニール袋用ホルダー及びロール巻きビニール袋を提供することを目的とする。
【課題を解決するための手段】
【０００７】
本発明に係るロール巻きビニール袋用ホルダーは、
ロール巻きビニール袋から引き出す連結ビニール袋をミシン目で切り離して一袋分のビニール袋を取り出せるようにするロール巻きビニール袋用ホルダーであって、
上記連結ビニール袋は、ビニール袋を形成するように重なり合う一面側のシート体と他面側のシート体とにより構成されて一袋間隔でミシン目と袋底シール部とが隣接して設けられ、一面側シート体には、袋開口部となるミシン目位置から連続して袋底方向に一定範囲内で一面側シート体を切り取った切り取り部が設けられ、他面側シート体には、連結ビニール袋を引き出すときに指掛けとなる指掛け孔が一面側シート体の切り取り部により露出される部分に対応して貫通して設けられた構成を有するものであり、
上記ロール巻きビニール袋を収納するための開放口を有し該ロール巻きビニール袋を回動自在に配置する支持体と、
上記支持体の開放口を開閉自在とするカバー体と、
上記ロール巻きビニール袋から引き出される連結ビニール袋を載置する載置面と、
上記載置面との間で連結ビニール袋と対向する対向面とを備えるものである。
【０００８】
本発明に係るロール巻きビニール袋は、
ミシン目を切り離して一袋分のビニール袋とする連結ビニール袋をロール巻きにしたロール巻きビニール袋であって、
上記連結ビニール袋は、ビニール袋を形成するように重なり合う一面側のシート体と他面側のシート体とにより構成されて一袋間隔でミシン目と袋底シール部とが隣接して設けられ、
上記一面側のシート体には、袋開口部となるミシン目位置から連続して袋底方向に一定範囲内で一面側のシート体を切り取った切り取り部が設けられ、
上記他面側のシート体には、連結ビニール袋を引き出すときに指掛けとなる指掛け孔が一面側のシート体の切り取り部により露出される部分に対応して貫通して設けられ、
上記連結ビニール袋には、さらに、上記指掛け孔の目印が指掛け孔の周辺に施されているものである。
【０００９】
上記構成より、連結ビニール袋としては、他面側のシート体には指掛け孔が設けられ、この指掛け孔と対向する一面側のシート体の部分はミシン目（袋開口部）から連続する切り取り部が設けられている。これにより、他面側シート体の指掛け孔に指を掛けて連結ビニール袋を引き出すと、その引っ張り力は他面側シート体だけにかかり、一面側シート体にはかからない。このとき、一面側シート体は、対向面又は載置面と接触して抵抗を受ける。従って、連結ビニール袋を引っ張り出すことにより、一面側シート体と他面側シート体とが横ずれして重なりが引き離されてビニール袋の袋開口部が開口される。この開口した状態でミシン目を切り離して一袋分のビニール袋が取り出される。
【発明の効果】
【００１０】
以上のように、本発明によれば、連結ビニール袋を引っ張り出すと、同時に、先頭のビニール袋の袋開口部が開口された状態となり、この開口した状態でミシン目を切り離して一袋分のビニール袋が取り出される。従って、ロール巻きビニール袋からミシン目を切り離して一袋分のビニール袋を取り出す度に余分な手間をかけず、簡単且つ確実にビニール袋の袋開口部を開口させることができる。その結果、ビニール袋の袋開口部を開口させるという煩わしい手間が省け、取り出したビニール袋に直ちに物品を袋内に入れることができる。
【図面の簡単な説明】
【００１１】
【図１】実施形態１によるロール巻きビニール袋用ホルダーを示す図であり、同図（ａ）はロール巻きビニール袋からビニール袋を引き出す前の状態を示す上面及び断面の模式図であり、同図（ｂ）はロール巻きビニール袋から先頭の一袋分のビニール袋を引き出した状態を示す上面及び断面の模式図であり、同図（ｃ）は一袋分のビニール袋を取り出したときの状態を示すビニール袋の模式図である。
【図２】ロール巻きビニール袋の構成を示す斜視図である。
【図３】実施形態１によるロール巻きビニール袋用ホルダーにおいて、カバー体を開いた状態を示す図であり、同図（ａ）は上面図であり、同図（ｂ）は断面図である。
【図４】実施形態２によるロール巻きビニール袋用ホルダーを示す斜視図である。
【発明を実施するための形態】
【００１２】
以下に、本発明の実施形態について添付図面を参照しながら説明する。
（実施形態１）
図１に示すように、実施形態１のロール巻きビニール袋用ホルダー１は、ロール巻きビニール袋５から連結ビニール袋５１を引き出し、引き出した連結ビニール袋５１のミシン目５２を切り離して一袋分のビニール袋５０を取り出せるようにしたものである。
【００１３】
まず、ロール巻きビニール袋５の構成を説明する。
図２に示すように、ロール巻きビニール袋５は、ミシン目５２を切り離して一袋分のビニール袋５０とするシート状の連結ビニール袋５１をロール巻きにしたものである。連結ビニール袋５１は、ビニール袋５０を形成するように重なり合う一面側のシート体６と他面側のシート体７とにより構成されて一袋間隔でミシン目５２と袋底シール部５３とが隣接して設けられている。ビニール袋５０は、透明又は半透明の樹脂から形成されているが、不透明の樹脂から形成されてもよい。連結ビニール袋５１は、一面側シート体６が外周側を向くようにロール巻きされているが、他面側シート体７側が外周側を向くようにロール巻きされてもよい。
【００１４】
そして、このロール巻きビニール袋５は、以下の特徴的な構成を備えている。
一面側のシート体６には、袋開口部５４となるミシン目５２位置から連続して袋底方向に一定範囲内で一面側シート体６を部分的に切り取った切り取り部６１が設けられている。他面側のシート体７には、連結ビニール袋５１を引き出すときに指掛けとなる指掛け孔７１が一面側のシート体６の切り取り部６１により露出される部分に対応して貫通して設けられている。また、他面側のシート体７には、一面側のシート体６の切り取り部６１が対向するミシン目５２の線上に他面側シート体７を連続して切り離したスリット状の切り離し部７２が設けられている。なお、このような切り離し部７２を設けずにミシン目５２だけのままとするものでもよい。さらに、連結ビニール袋５１には、指掛け孔７１の目印７３となる印刷が指掛け孔７１の周辺に施されている。また、ロール巻きビニール袋５は、ミシン目５２の目印７４となる印刷がミシン目５２を切り離したときに袋開口部５４に残るようにミシン目５２に沿って指掛け部７１の近くに施されている。
【００１５】
切り取り部６１は、一面側シート体６において連結ビニール袋５１の幅方向中央に設けられている。切り取り部６１は、円弧状山型形状とされているが、円弧、台形、四角形等その他の種々の形状であってもよい。また、切り取り部６１は、ミシン目５２位置から連続して袋底方向の一定範囲にわたって一面側シート体６を全体的に切り取った構成としてもよい。
【００１６】
指掛け孔７１は、他面側シート体７において一面側シート体６の切り取り部６１と対応して連結ビニール袋５１の幅方向中央に設けられ、且つ袋開口部５４となるミシン目５２に接近して設けられている。指掛け孔７１は、切り取り部６１の円弧部分に沿って円形に形成されているが、これに限らず、楕円形、四角形等の多角形等その他種々の形状であってもよい。実施形態１では、指掛け孔７１の外径は、切り取り部６１の大きさよりも小さく形成されているが、指掛け孔７１の一部が切り取り部６１の輪郭線と略一致するか、指掛け孔７１の一部が切り取り部６１の輪郭線よりも大きく形成されてもよい。
【００１７】
指掛け孔７１の目印７３となる印刷は、ビニール袋５０の引き出し時に外観できるように施されていればよい。この目印７３により、使用者に対して、連結ビニール袋５１を引き出すために指を掛ける指掛け孔７１の存在、さらにロール巻きビニール袋５における連結ビニール袋５１の最先端位置を容易に且つ確実に発見させることができる。実施形態では、ビニール袋５０が透明又は半透明に形成されているので、目印７３は、一面側シート体６の外面において指掛け孔７１の外周全体にわたってリング状に印刷を施して形成されている。ただし、目印７３の印刷は、これに限らず、指掛け孔７１の外周に部分的に施したものでもよい。また、一面側シート体６側と他面側シート体７側の一方あるいは両方に施すようにしてもよいし、また、シート体の外面又は内面の一面あるいは両面に施すようにしてもよい。目印７３の印刷の色も適宜に決定することができる。また、目印７３は、印刷に限らず他の方法で施したものでもよい。
【００１８】
また、ミシン目５２の目印７４となる印刷も、指掛け孔７１の目印７３と同様に、ビニール袋５０の引き出し時に外観できるように施されていればよく、指掛け孔７１の目印７３の印刷と同時に施すことができる。また、ミシン目５２の目印７４は、ミシン目５２の切り離しで袋開口部５４に残らない位置（袋底側に残る位置）に設けてもよいし、また、ミシン目５２の全長にわたって設けてもよいし、また、印刷に限らず他の方法で施したものでもよいし、さらには目印７４自体を設けないものでもよい。
【００１９】
次に、ロール巻きビニール袋用ホルダー１の構成を説明する。
図１、図３を参照して、ロール巻きビニール袋用ホルダー１は、ロール巻きビニール袋５を収納するために上方を開放口２１とする略円筒半割状の支持体２と、支持体２の後側上部に軸部１１により回動自在に取り付けられて支持体２の開放口２１を開閉自在とする長方形蓋状のカバー体３とを備える。なお、このロール巻きビニール袋用ホルダー１の背面（支持体２の後面）には取付手段としてのフック４が設けられており、このフック４を壁や家具等に取り付けた取付板等に引っ掛けてロール巻きビニール袋用ホルダー１を取り付けることができる。
【００２０】
支持体２は、底部２２が断面円弧状に形成されてロール巻きビニール袋５が配置される。なお、ロール巻きビニール袋５は、ロールの上側から連結ビニール袋５１が引き出される姿勢で、支持体２内に収納される。支持体２の底部２２には、長方形形状の長手方向左右に円弧形状の底部２２の周方向に延びる円弧リブ２３が形成され、ロール巻きビニール袋５は、円弧リブ２３上に回動自在に支持される。円弧リブ２３の径は、ロール巻きビニール袋５の最大径よりも大径となっているので、ロール巻きビニール袋５は円滑に回動される。支持体２の底部２２の周囲から連続して立設する側壁部のうち、ロール巻きビニール袋５から連結ビニール袋５１を引き出す側の前壁部２４の上端部には、引き出した連結ビニール袋５１を載置する載置面２５が形成されている。
【００２１】
また、支持体２は、載置面２５が連続するように前壁部２４の上端部から連結ビニール袋５１の引き出し方向となる前方へ張り出したガイド部２６が設けられている。このガイド部２６上には、ロール巻きビニール袋５のロール巻きされた連結ビニール袋５１の最先端部分が配置される。これにより、ビニール袋５０の取出し時に連結ビニール袋５１の最先端を容易に見つけることができる。
【００２２】
ガイド部２６は、支持体２の長手方向の左右にそれぞれ設けられており、これら左右のガイド部２６の間に引き出された連結ビニール袋５１の指掛け孔７１が配置されるように間隔を空けて設けられている。これにより、ガイド部２６が邪魔とならずに先頭の連結ビニール袋５１の指掛け孔７１に指を確実に挿通させ、さらに連結ビニール袋５１を引っ張り出すことができる。なお、左右のガイド部２６は、支持体２の前壁部２４の左右の端部にまで達するように張り出し形成し、連結ビニール袋５１の幅方向の略全体を配置させる構成としてもよい。
【００２３】
各ガイド部２６の先端部には、連結ビニール袋５１を引き出したときにミシン目５２の破断起点となるように上方へ突出するピン状の突部２７が設けられている。例えば、各突部２７は、連結ビニール袋５１を引き出すと先頭のビニール袋５０と二番目のビニール袋５０との間のミシン目５２の線上に設けた切り離し部７２が入り込む位置に設けられる。実施形態では、突部２７は、左右のガイド部２６の先端部において互いに対向する内側部分に設けられている。従って、突部２７が、連結ビニール袋５１の切り離し部７２に入り込んだ状態となって連結ビニール袋５１をさらに引っ張ることにより、切り離し部７２からミシン目５２が破断され、先頭のビニール袋５０が取り出される。同時に、次に取り出すビニール袋５０となる連結ビニール袋５１の最先端部分がガイド部２６上に残される。なお、連結ビニール袋５１に切り離し部７２を設けないものでは、連結ビニール袋５１の引き出し力により突部２７がミシン目５２又はミシン目５２付近を押圧することでミシン目５２の破断起点とすることができる。また、突部２７自体を設けない構成とするものでもよく、この場合、例えば、ガイド部２６の先端部をミシン目５２の破断起点として利用するようにしてもよい。
【００２４】
カバー体３は、連結ビニール袋５１の引き出し側となる前垂下部３１の下端部には、支持体２の載置面２５との間で連結ビニール袋５１と対向する対向面３２が形成されている。実施形態１では、ロール巻きビニール袋５は、連結ビニール袋５１の一面側シート体６が外周側となって巻き取られ、このロール巻きの上側から連結ビニール袋５１が引き出される。従って、カバー体３の対向面３２は、連結ビニール袋５１の一面側シート体６が接触される。よって、このカバー体３の対向面３２には、指掛け孔７１に指を掛けて引き出される連結ビニール袋５１の一面側のシート体６に接触して摺動抵抗を付与する抵抗体３３が設けられている。抵抗体３３としては、例えば、スポンジ、摩擦抵抗が大きいゴムや樹脂等により形成することができる。なお、このような抵抗体３３を設けない構成としてもよく、この場合、抵抗力は弱くなるものの、カバー体３の対向面３２自体が連結ビニール袋５１の一面側のシート体６に接触して摺動抵抗を付与する。
【００２５】
次に、ロール巻きビニール袋用ホルダー１におけるビニール袋５０の取り出しについて説明する。
上述のとおり、ロール巻きビニール袋５の連結ビニール袋５１としては、最先端部分では、ミシン目５２が破断されて袋開口部５４となっているから、切り取り部６１は、袋開口部５４から連続して一面側シート体６を部分的に切り欠き、袋開口部５４の近くに他面側シート体７に設ける指掛け孔７１がこの切り取り部６１により露出された状態となっている。この指掛け孔７１の外周囲には目印７３の印刷が施されているので、使用者に対して指掛け孔７１の存在を確実に認識させることができる。なお、指掛け孔７１の近くにはミシン目５２の目印７４も設けられているので、このミシン目５２の目印７４によっても指掛け孔７１の存在を明示することができる。
【００２６】
これより、図１（ａ）に示すように、使用者は他面側シート体７の指掛け孔７１に指を掛けて連結ビニール袋５１を引き出すこととなり、無意識に両方のシート体を一緒に摘まんで引っ張ってしまうことはなく、他面側シート体７だけが引っ張られ、一面側シート体６が引っ張られることはない。従って、指を指掛け孔７１に引っ掛けて連結ビニール袋５１を引き出すときの引っ張り力は、他面側シート体７だけにかかり、一面側シート体６にはかからない。このとき、一面側シート体６は、カバー体３の対向面３２に設ける抵抗体３３によって摺動抵抗を受ける。なお、抵抗体３３を設けない場合は、抵抗力は弱くなるものの、一面側シート体６は、カバー体３の対向面３２自体に接触して摺動抵抗を受けることとなる。
【００２７】
すると、図１（ｂ）に示すように、一面側シート体６と他面側シート体７とが横ずれして両者の重なりが引き離されてビニール袋５０の袋開口部５４が開口される。また、連結ビニール袋５１の先頭の一袋分のビニール袋５０が引き出されると、二番目のビニール袋５０との間のミシン目５２の目印７４が現れ、使用者には先頭の一袋分のビニール袋５０が引き出されたことを容易に気付かせることができる。そして、先頭の一袋分のビニール袋５０と二番目のビニール袋５０との間のミシン目５２の線上に設ける切り離し部７２に、ガイド部２６の突部２７が入り込んだ状態となる（図１（ｂ）参照）。このとき、ミシン目５２の目印７４により使用者にはミシン目５２の位置が認識されるので、使用者の連結ビニール袋５１の引き出しが減速されて突部２７への切り離し部７２の引っ掛かりを促すことができる。
【００２８】
この状態で、さらに連結ビニール袋５１を引っ張ると、切り離し部７２からミシン目５２が破断され、先頭の一袋分のビニール袋５０が切り離されて取り出される（図１（ｃ））。また同時に、支持体２のガイド部２６上には、次に取り出すビニール袋５０となる連結ビニール袋５１の最先端部分が残される。
【００２９】
以上のように、本実施形態１によれば、連結ビニール袋５１を引っ張り出すと、同時に、先頭のビニール袋５０の袋開口部５４が開口された状態となる。すなわち、ロール巻きビニール袋５から連結ビニール袋５１を指掛け孔７１に指を掛けて引っ張り出すだけで、袋開口部５４が開口された状態となった一袋分のビニール袋５０が取り出される（図１（ｃ））。従って、ロール巻きビニール袋５からミシン目５２を切り離して一袋分のビニール袋５０を取り出す度に余分な手間をかけず、簡単且つ確実にビニール袋５０の袋開口部５４を開口させることができる。その結果、ビニール袋５０の袋開口部５４を開口させるという煩わしい手間が省け、取り出したビニール袋５０に直ちに物品を袋内に入れることができる。また同時に支持体２のガイド部２６上には、連結ビニール袋５１の最先端部分における指掛け孔７１及び目印７３が配置されるので、次にビニール袋５０を取り出す際にも連結ビニール袋５１の最先端部分を容易に発見でき、且つ取り出し易くすることができる。
【００３０】
なお、本発明は、上記実施形態１に限定されるものではなく、本発明の要旨の範囲内で適宜に変更を施すことが可能である。
例えば、ロール巻きビニール袋５が指掛け孔７１を設ける他面側シート体７を外周側向きにして連結ビニール袋５１をロール巻きしたものでは、内周側の一面側シート体６が接触する側となる支持体２の載置面２５に抵抗体３３を設けるようにする。また、ロール巻きビニール袋５が一面側シート体６を外周側向きにしてロール巻きしたものでもロールの下側から連結ビニール袋５１を引き出す姿勢に保持する場合は、外周側の一面側シート体６が接触する側となる支持体２の載置面２５に抵抗体３３を設けるようにする。要するに、抵抗体３３は、一面側シート体６が接触する側となるカバー体３の対向面３２又は支持体２の載置面２５に設けるようにすればよい。ただし、抵抗体３３を設けなくても、引き出しの力を直接受けない一面側シート体６は、カバー体３の対向面３２又は支持体２の載置面２５から摺動抵抗を受けることとなるので、このような抵抗体３３を設けない構成としてもよい。
また、支持体２やカバー体３は、棒状の線材で形成したものでもよいし、また、支持体２においてロール巻きビニール袋５をその芯孔を軸支して支持するようにしてもよい。
【００３１】
（実施形態２）
図４に示すように、実施形態２のロール巻きビニール袋用ホルダー１Ａは、全体的に細長い長方形箱型に構成し、各々が長方形状を有する、上面板８１、前面板８２、底面板８３、後面板８４及びフラップ板８５がそれぞれ長辺側で連設され、長手方向左右に四角形状を有する側面板８６（図４中、手前の側面板は省略）を有するものである。フラップ板８５は、上面板８１の上に配置される。
【００３２】
左右の側面板８６は、例えば、底面板８３、後面板８４及びフラップ板８５に連設されることによりこれら底面板８３、後面板８４及びフラップ板８５がロール巻きビニール袋５を収納する支持体２を構成し、一方、上面板８１及び前面板８２が左右の側面板８６とは分離されて前面板８２と底面板８３の間で屈曲自在となって支持体２の前面を開口させるように開閉自在とするカバー体３を構成することができる。
【００３３】
また、左右の側面板８６は、例えば、上面板８１、前面板８２及び底面板８３に連設されることによりこれら上面板８１、前面板８２、底面板８３及び左右の側面板８４がロール巻きビニール袋５を収納する支持体２を構成し、一方、後面板８４及びフラップ板８５が左右の側面板８６とは分離されて底面板８３と後面板８４の間で屈曲自在となって支持体２の後面を開口させるように開閉自在とするカバー体３を構成することができる。
なお、ロール巻きビニール袋５は、上記実施形態１と同様の構成とする。
【００３４】
この実施形態２のロール巻きビニール袋用ホルダー１Ａでは、上面板８１の表面を連結ビニール袋５１の載置面２５とし、フラップ板８５の裏面を対向面３２とし、上面板８１とフラップ板８５との間から内部に収納するロール巻きビニール袋５の連結ビニール袋５１を引き出すように構成される。
【００３５】
フラップ板８５の前端には、フラップ板８５と面一に前方へ突出する突部２７が設けられる。この突部２７は、連結ビニール袋５１においてミシン目５２上に切り離し部７２を設けるものでは切り離し部７２に入り込むこととなり、また、切り離し部７２を設けない連結ビニール袋５１に対してはミシン目５２を押圧して破断起点となるように作用する。突部２７は、先端が前面板８２よりも前に突出せず上面板８１の範囲内に収まる長さに設定される。
【００３６】
連結ビニール袋５の指掛け孔７１に指を通しやすくするため、指掛け孔７１と対向する位置となるように、前面板８２と上面板８１とに連続する切り抜き８７が設けられ、また、フラップ板８５の前端にも切り抜き８７と重畳する切り欠き８８が設けられている。また、上面板８１の後部は、への字状に内側に折り曲げられた折り曲げ部８１ａを有し、この折り曲げ部８１ａにより、連結ビニール袋５１の引き出し時に上面板８１の後端が連結ビニール袋５１を引っ張って箱内でミシン目５２が破断することを防止している。フラップ板８５の裏面には抵抗体３３を設けて連結ビニール袋５１の引き出し時に指掛け孔７１を有さず引き出し力が直接掛からない一面側シート体６に接触して摺動抵抗を付与するようにしている。
【００３７】
以上の実施形態２のロール巻きビニール袋用ホルダー１Ａにおいても、連結ビニール袋５１の指掛け孔７１に指を掛けて引き出すと、他面側シート体７だけに引っ張り力が掛かり、一面側シート体６はフラップ板８５に設ける抵抗体３３と接触して摺動抵抗を受けるので、一面側シート体６と他面側シート体７とが横ずれして両者の重なりが引き離されてビニール袋５０の袋開口部５４が開口される。そして、ミシン目５２がフラップ板８５の突部２７の位置まで引き出されると、連結ビニール袋５１の切り離し部７２内に突部２７が入り、さらに連結ビニール袋５１を引っ張ると、切り離し部７２からミシン目５２が破断され、先頭の一袋分のビニール袋５０が取り出される。従って、このロール巻きビニール袋用ホルダー１Ａによっても、連結ビニール袋５１を引っ張り出すと、同時に、先頭のビニール袋５０の袋開口部５４が開口された状態とすることができ、一袋分のビニール袋５０を取り出す度に余分な手間をかけず、簡単且つ確実にビニール袋５０の袋開口部５４を開口させた状態で一袋分のビニール袋５０を取り出すことができる。
【００３８】
なお、本発明は、上記実施形態２にも限定されるものではなく、本発明の要旨の範囲内で適宜に変更を施すことが可能である。
例えば、実施形態２のロール巻きビニール袋用ホルダー１Ａにおいても、一面側シート体６を内周側とするロール巻きビニール袋５に対しては、抵抗体３３を上面板８１の表面に設けて一面側シート体６に接触して摺動抵抗を付与するようにすればよい。また、抵抗体３３を設けない構成としてもよく、この場合、連結ビニール袋５１の引き出し時には一面側シート体６はフラップ板８５（一面側シート体を外周側とするロール巻きビニール袋）又は上面板８１（一面側シート体を内周側とするロール巻きビニール袋）との接触によって摺動抵抗を受けることとなる。
【００３９】
また、連結ビニール袋５は、切り離し部７２を設けないものでもよく、この場合、フラップ板８５の先端の突部２７が連結ビニール袋５１のミシン目５２を押圧することによりこの押圧部分が破断起点となってミシン目５２が破断され、先頭の一袋分のビニール袋５０が取り出される。
【符号の説明】
【００４０】
１，１Ａ  ロール巻きビニール袋用ホルダー
２  支持体
３  カバー体
４  フック
５  ロール巻きビニール袋
６  一面側シート体
７  他面側シート体
１１  軸部
２１  開放口
２２  底部
２３  円弧リブ
２４  前壁部
２５  載置面
２６  ガイド部
２７  突部
３１  前垂下部
３２  対向面
３３  抵抗体
５０  ビニール袋
５１  連結ビニール袋
５２  ミシン目
５３  袋底シール部
５４  袋開口部
６１  切り取り部
７１  指掛け孔
７２  切り離し部
７３  目印（主に指掛け孔の目印）
７４  目印（主にミシン目の目印）
８１  上面板
８１ａ  折り曲げ部
８２  前面板
８３  底面板
８４  後面板
８５  フラップ板
８６  側面板
８７  切り抜き
８８  切り欠き
【図１】
2017039493.tif 000003
【図２】
2017039493.tif 000004
【図３】
2017039493.tif 000005
【図４】
2017039493.tif 000006